(57)【要約】      （修正有）【課題】  一台の電動アクチュエ−タの駆動で、背受フレ−ムの起立動作と膝受フレ−ムの保持状態を、背受フレ−ムの起立過程の各ステップのおいて、膝受フレ−ムの保持位置を患者の体位ズレによる違和感が殆どない状態に保持できる構成とした、スライドベッドの提供。【解決手段】ベッドの背受フレ−ム８駆動時に、電動アクチュエ−タ１による直進動作をロッドエンドピン２を介してスライドブロック３に設けたカムフォロアＡが、背受フレ−ム８に装着したカムブラケット４の弧状ガイド溝６内を転動することで、位置決め軸受Ａで支承した背受フレ−ム８を起立させる構成としてあり、更にロッドピンを介して並設した駆動カムプレ−ト１２下端のカム部が、支承カムフォロア上をスライドできる構成とし、駆動カムプレ−ト１２の上面に配設した支承キャスタ−１４の上下動で、位置決め軸受Ｂ１１で支承された膝受フレ−ム１０の起伏状態の調節ができる構成としてある。【選択図】図１
2008237852.tif 000002
【特許請求の範囲】
【請求項１】
介護用スライドベッドの背受フレ−ム駆動時に、電動アクチュエ−タによる直進動作をロッドエンドピンを介して、スライドブロックに設けたカムフォロアＡが、背受フレ−ムに装着したカムブラケットの弧状ガイド溝内を転動することで、位置決め軸受Ａで支承した背受フレ−ムを起立させる構成としてあり、更にロッドピンを介して並設した駆動カムプレ−ト下端のカム部が、支承カムフォロア上をスライドできる構成とし、駆動カムプレ−トの上面に配設した支承キャスタ−の上下動で、位置決め軸受Ｂで支承された膝受フレ−ムの起伏状態の調節ができる構成としてある、背受フレ−ム起立時の患者体位ズレを防ぐ介護用スライドベッド。
【請求項２】
スライドブロックの直進性の確実かつ軽快さを確保するため、スライドブロックの片側面に一対のカムフォロアＣを設け、他端にガイド軸とスライドベアリングを設け、スライドフレ−ム本体の内部に設けたガイドフレ−ム内を直進できる構成としてあり、背受フレ−ムとカムブラケットの接続は、カムブラケット保持クッション軸に緩衝材を装着し、背受フレ−ムの起立頂点位置における逃げ効果を持たせる構成としてある請求項１記載の背受フレ−ム起立時の患者体位ズレを防ぐ介護用スライドベッド。
【発明の詳細な説明】
【技術分野】
【０００１】  本発明は、介護ベッドのうち座部をベッドの幅方向にスライドできる構成を有する介護用スライドベッドに関する。
【背景技術】
【０００２】  従来の介護ベッドにおいては、背受フレ−ムと座部との中間部を円弧状に継ぐ構成のものや、臀部の保持状態をその概略形状にマッチさせる形で保持するタイプのものが多く見かけられる様になっている。
上記の保持タイプのものでは、患者体位のズレを完全に防止できないものや、ベッドのフラット時にも臀部の落ち込みがあるものもあり、患者や高齢者（以下患者等と言う）に違和感を与えるケ−スがある。
【発明の開示】
【発明が解決しようとする課題】
【０００３】  以上に述べた従来の介護用ベッドでは、背受フレ−ムの起立時における体位ズレを完全に防ぐことが困難であるため、体位ズレに伴う腹部圧迫による患者等への苦痛や違和感を和らげる状況が得られていないのが実情である。【０００４】  本発明では、背受フレ−ムの起立過程に合わせて膝受フレ−ムを所定角度に保持することで、体位ズレを完全に防止する構成が得られた。
電動アクチュエ−タによる背受フレ−ムの起立過程に合わせて、膝受フレ−ムを所定位置に保持すること（図１−１〜図１−６参照）で、体位ズレを完全に防ぐ構成を得ることができた。【０００５】  本発明では、背受フレ−ム起立駆動の電動アクチュエ−タの直進によるスライドブロックの直進駆動で、カムブラケットの起立動作を行わせて背受フレ−ムの起立を行うと同時に、電動アクチュエ−タのロッドエンドピン上に並設された駆動カムプレ−トの摺動で、フレ−ム支承キャスタ−を所定位置に持上げ保持することで、背受フレ−ム起立過程に伴う患者等の体位ズレを完全に防止する事ができ、腹部圧迫による苦痛や違和感を防げる様になった。
【課題を解決するための手段】
【０００６】  本発明では、上記の目的を達成するために電動アクチュエ−タの直進で、ロッドエンドピンを介してスライドブロックを直進駆動させ、該スライドブロックの中央部に並列に設けたカムフォロアＣを、カムブラケットの弧状ガイド溝の中を転動させることで、位置決め軸受Ａで支承した背受フレ−ムを起立させる構成としてあり、ロッドエンドピンに並設した駆動カムプレ−トの下端カム部が支承カムフォロア上を摺動することで、位置決め軸受Ｂで支承された膝受フレ−ムに吊設したフレ−ム支承キャスタ−を所定位置に保持することで、膝受位置を決定する構成としてあり、患者等の体位ズレを完全に防止する事で、体位ズレによる不快な腹部圧迫や違和感を防げる様になった。【０００７】  本発明では、スライドブロックの中央部に並列に設けたカムブラケット駆動カムフォロアが、該カムブラケットの弧状ガイド溝の中を転動することで、カムブラケットの起立動作が行われる構成としてあるため、円滑且つ負荷抵抗の少ない動作が実行される所に特徴があると言える。【０００８】  本発明では、ロッドエンドピンに並設されたカムプレ−トの下端カム部が支承カムフォロア上を摺動する構成としてある事で、カムブラケットの起立動作過程と関連を持たせ、膝受フレ−ムの設定角度をマッチングさせるように、カムプレ−ト下端カム部の形状を設定してあるため、支承カムフォロア上を摺動するだけのシンプルな動作で、背受フレ−ムと膝受フレ−ムの起立過程の設定角度の関係が常に一定した状態に保たれるので、之らの動作に狂いが生ずる事のない特徴を有するものである。
【発明の効果】
【０００９】  上述したように本発明では、背受フレ−ム起立用の電動アクチュエ−タで、膝受フレ−ムの位置関係も同調して位置決め可能な構成としてあるため、装備面での部品点数削減による省コストの他に省エネ効果も得られる構成となっている。【００１０】  使用する患者等の立場で、背受フレ−ム起立時に発生する体位ズレ防止と、関連しておきる腹部圧迫感を除去出来るよう、背受フレ−ムと膝受フレ−ムの起立過程における相互の位置関係を見い出し、背受フレ−ムの起立過程における膝受フレ−ムの起立位置関係を確実に再現できる様に、駆動カムプレ−ト下端のカム部形状を設定してある所に特徴を有するものである。
【発明を実施するための最良の形態】
【００１１】  以下、本発明の実施の形態を図１〜図９に基づいて説明する。【００１２】  図１においては、本発明の最大特徴である背受フレ−ム８と膝受フレ−ム１０の起立動作過程における、各ステップでの相互位置関係を示す状態図が図１−１〜図１−６で示されている。
上記の相互位置関係は、患者等の体位ズレの状態を見極めながら、背受フレ−ムと膝受フレ−ム相互の最適位置決定した上で設定されている。【００１３】  図２には、背受フレ−ム８作動用のスライドブロック３の平面図、図３には正面図、図４には側面図が示されている。
スライドブロック３には、ロッドエンドピン２の接続孔と、片側２個の走行カムフォロア１７と、反対側にブッシュガイド１９とを採用して直進性を確保してあり、更に中央部に左右一対のカムブラケット駆動カムフォロア５が設けてあり、スライドブロック３の前進によって、カムブラケット４の起立動作が円滑に行える構成としてある。【００１４】  図５には、背受フレ−ム作動用カムブラケット４の正面図、図６には平面図が示されている。
図５では、カムブラケット４の起立動作の為の弧状ガイド溝６と、背受フレ−ム８への取付け関係を表わすカムブラケット保持クッション軸７と緩衝材１６の配置が示されており、本実施例では、緩衝材の一例としてスプリングを装着しており、背受フレ−ム８最起立時での位置保持の際の逃げ作用の効果を持たせるように設定してある。【００１５】  図６は、カムブラケット４の平面図であり、クッション軸７の配置状態を示す。【００１６】  図７には、膝受フレ−ム１０の駆動カムプレ−ト１２の正面図が示されている。
駆動カムプレ−ト１２の下端カム部には、背受フレ−ム８起立時の各ステップ位置に見合う膝受フレ−ム１９保持位置へのマッチング状態得られる形状を持たせたものであり、膝受フレ−ム支承キャスタ−１４の配置関係も示されている。【００１７】  図８には、膝受フレ−ム１０駆動カムプレ−ト１２の平面図が示されている。
前記した膝受フレ−ム支承キャスタ１４との接触面となる長方形の踏み板が設けてあり、膝受フレ−ム支承キャスタ１４の摩耗を抑える効果を持たせてある。【００１８】  図９には、本発明の介護用スライドベッド全体平面図が示されている
ベッド本体のスライドフレ−ム１８に装着された、電動アクチュエ−タ１、ロッドエンドピン２、スライドブロック３、駆動カムプレ−ト１２とブッシュガイド１９の配置状態が示されている。
【図面の簡単な説明】
【００１９】
【図１】  （図１−１〜図１−６で示す組図）本発明の背受フレ−ムと膝受フレ−ムの作動過程各ステップでの相互位置関係を示す組図
【図２】  介護用スライドベッド、カムブラケット駆動スライドブロック平面図
【図３】  同カムブラケット駆動スライドブロック正面図
【図４】  同カムブラケット駆動スライドブロック側面図
【図５】  同背受フレ−ム駆動カムブラケット正面図
【図６】  同背受フレ−ム駆動カムブラケット平面図
【図７】  同膝受フレ−ム駆動カムプレ−ト正面図
【図８】  同膝受フレ−ム駆動カムプレ−ト平面図
【図９】  本発明の介護用スライドベッド全体平面図
【符号の説明】
【００２０】  １  電動アクチュエ−タ
２  ロットエンドピン
３  スライドブロック
４  カムブラケット
５  カムブラケット駆動カムフォロア
６  弧状ガイド溝
７  ブラケット保持クッション軸
８  背受フレ−ム
９  位置決め軸受Ａ
１０  膝受フレ−ム
１１  位置決め軸受Ｂ
１２  駆動カムプレ−ト
１３  カムプレ−ト支承カムフォロア
１４  膝受フレ−ム支承キャスタ−
１５  カムフォロアＣ
１６  緩衝材
１７  走行用カムフォロア
１８  スライドフレ−ム
１９  ブッシュガイド
【図１】
2008237852.tif 000003
2008237852.tif 000004
【図２】
2008237852.tif 000005
【図３】
2008237852.tif 000006
【図４】
2008237852.tif 000007
【図５】
2008237852.tif 000008
【図６】
2008237852.tif 000009
【図７】
2008237852.tif 000010
【図８】
2008237852.tif 000011
【図９】
2008237852.tif 000012
【手続補正書】
【提出日】平成19年6月28日(2007.6.28)
【手続補正１】
【補正対象書類名】図面
【補正対象項目名】図１
【補正方法】変更
【補正の内容】
【図１】
2008237852.tif 000013